(57)【要約】【課題】主回路端子を安全に取り出し、主回路端子を取り出す動作を省スペースで行う。【解決手段】本明細書によって開示される回路遮断装置１０は、フード部４１と、一対の端子部３２に接続される主回路端子５２と、主回路端子５２を保持し、フード部４１の内部に嵌合することで一対の端子部３２を主回路端子５２によって短絡させ、フード部４１の内部から離脱することで一対の端子部３２を開放させる主ハウジング５１と、互いに嵌合可能に設けられ、嵌合させると主回路をＯＮ状態に切り替え、離脱させると主回路をＯＦＦ状態に切り替える制御回路を開閉する一対の嵌合検知コネクタとを備え、主ハウジング５１は、主回路がＯＮ状態にあるときに、嵌合状態にある一対の嵌合検知コネクタの少なくともいずれか一方に干渉することでフード部４１の内部から離脱することが阻止される構成とした。【選択図】図９
2017016922.tif 000002
【特許請求の範囲】
【請求項１】
主回路を構成する一対の導電部材の端子部を内部に収容するフード部と、
前記一対の端子部に接続される主回路端子と、
前記主回路端子を保持し、前記フード部の内部に嵌合することで前記一対の端子部を前記主回路端子によって短絡させ、前記フード部の内部から離脱することで前記一対の端子部を開放させる主ハウジングと、
互いに嵌合可能に設けられ、嵌合させると前記主回路をＯＮ状態に切り替え、離脱させると前記主回路をＯＦＦ状態に切り替える制御回路を開閉する一対の嵌合検知コネクタとを備え、
前記主ハウジングは、前記主回路がＯＮ状態にあるときに、嵌合状態にある前記一対の嵌合検知コネクタの少なくともいずれか一方に干渉することで前記フード部の内部から離脱することが阻止される回路遮断装置。
【請求項２】
前記一対の端子部は平板状をなし、直列に並べて配置されており、
前記一対の嵌合検知コネクタが嵌合する方向は、前記主ハウジングが前記フード部の内部に嵌合する方向と前記一対の端子部の並び方向との双方に対して交差する方向とされている請求項１に記載の回路遮断装置。
【請求項３】
一方の前記嵌合検知コネクタは、一対の電線と、前記一対の電線にそれぞれ接続された一対の嵌合検知端子と、前記一対の嵌合検知端子を保持する一方の嵌合検知ハウジングとを備えて構成され、
他方の前記嵌合検知コネクタは、ショート端子と、前記ショート端子を保持する他方の嵌合検知ハウジングとを備えて構成され、
前記一方の嵌合検知ハウジングと前記他方の嵌合検知ハウジングとが嵌合することで前記一対の嵌合検知端子が前記ショート端子で短絡されて前記制御回路が閉じる請求項１または請求項２に記載の回路遮断装置。
【請求項４】
一方の前記嵌合検知コネクタは、一方の電線と、前記一方の電線に接続された一方の嵌合検知端子と、前記一方の嵌合検知端子を保持する一方の嵌合検知ハウジングとを備えて構成され、
他方の前記嵌合検知コネクタは、他方の電線と、前記他方の電線に接続された他方の嵌合検知端子と、前記他方の嵌合検知端子を保持する他方の嵌合検知ハウジングとを備えて構成され、
前記一方の嵌合検知ハウジングと前記他方の嵌合検知ハウジングとが嵌合することで前記一方の嵌合検知端子と前記他方の嵌合検知端子とが接続されて前記制御回路が閉じる請求項１または請求項２に記載の回路遮断装置。
【発明の詳細な説明】
【技術分野】
【０００１】
本明細書によって開示される技術は、回路遮断装置に関する。
【背景技術】
【０００２】
従来、レバーを備えた電源回路遮断装置として、特開２００５−１４２１０７号公報（下記特許文献１）に記載のものが知られている。この電源回路遮断装置は、レバーを操作開始位置から回転完了位置に回転移動した過程で、双方のコネクタハウジングの各端子間が接触状態となり、パワースイッチがオンされるが、電源回路は未だ非導通であり、レバーを回転完了位置から操作完了位置にスライド移動した過程で嵌合検知スイッチがオンされ、これによって、リレー回路がオンされて電源回路が初めて導通状態となるものである。
【先行技術文献】
【特許文献】
【０００３】
【特許文献１】特開２００５−１４２１０７号公報
【発明の概要】
【発明が解決しようとする課題】
【０００４】
しかしながら、上記の電源回路遮断装置は、操作開始位置においてレバーがコネクタハウジングの外面から突出しており、さらにレバーが突出した状態で操作開始位置から回転完了位置に回転移動させる必要があるため、電源回路遮断装置の周囲にレバー操作を行うための大きなスペースが必要になる。このため、車両によってはレバー操作用のスペースを確保できない場合も起こりうる。
【課題を解決するための手段】
【０００５】
本明細書によって開示される回路遮断装置は、主回路を構成する一対の導電部材の端子部を内部に収容するフード部と、前記一対の端子部に接続される主回路端子と、前記主回路端子を保持し、前記フード部の内部に嵌合することで前記一対の端子部を前記主回路端子によって短絡させ、前記フード部の内部から離脱することで前記一対の端子部を開放させる主ハウジングと、互いに嵌合可能に設けられ、嵌合させると前記主回路をＯＮ状態に切り替え、離脱させると前記主回路をＯＦＦ状態に切り替える制御回路を開閉する一対の嵌合検知コネクタとを備え、前記主ハウジングは、前記主回路がＯＮ状態にあるときに、嵌合状態にある前記一対の嵌合検知コネクタの少なくともいずれか一方に干渉することで前記フード部の内部から離脱することが阻止される構成とした。
【０００６】
このような構成によると、嵌合状態にある一対の嵌合検知コネクタの少なくともいずれか一方が主ハウジングに干渉することで主ハウジングがフード部の内部から離脱できないようにすることができる。すなわち、一対の嵌合検知コネクタを離脱させなければ、主ハウジングをフード部の内部から離脱させることができないことになる。したがって、主回路端子を安全に取り出すことができる。また、従来の電源回路遮断装置で必要とされたレバー操作用のスペースが不要になるため、主回路端子を取り出す動作を省スペースで行うことができる。
【０００７】
本明細書によって開示される回路遮断装置は、以下の構成としてもよい。
前記一対の端子部は平板状をなし、直列に並べて配置されており、前記一対の嵌合検知コネクタが嵌合する方向は、前記主ハウジングが前記フード部の内部に嵌合する方向と前記一対の端子部の並び方向との双方に対して交差する方向とされている構成としてもよい。
このような構成によると、主ハウジングをフード部の内部から離脱させようとした際に一方の嵌合検知コネクタが主ハウジングから力を受けて他方の嵌合検知コネクタから離脱することを確実に防止できる。
【０００８】
一方の前記嵌合検知コネクタは、一対の電線と、前記一対の電線にそれぞれ接続された一対の嵌合検知端子と、前記一対の嵌合検知端子を保持する一方の嵌合検知ハウジングとを備えて構成され、他方の前記嵌合検知コネクタは、ショート端子と、前記ショート端子を保持する他方の嵌合検知ハウジングとを備えて構成され、前記一方の嵌合検知ハウジングと前記他方の嵌合検知ハウジングとが嵌合することで前記一対の嵌合検知端子が前記ショート端子で短絡されて前記制御回路が閉じる構成としてもよい。
このような構成によると、例えば他方の嵌合検知コネクタを予めフード部と一体に構成しておくことにより、一方の嵌合検知コネクタの嵌合離脱操作によって制御回路を開閉することができる。
【０００９】
一方の前記嵌合検知コネクタは、一方の電線と、前記一方の電線に接続された一方の嵌合検知端子と、前記一方の嵌合検知端子を保持する一方の嵌合検知ハウジングとを備えて構成され、他方の前記嵌合検知コネクタは、他方の電線と、前記他方の電線に接続された他方の嵌合検知端子と、前記他方の嵌合検知端子を保持する他方の嵌合検知ハウジングとを備えて構成され、前記一方の嵌合検知ハウジングと前記他方の嵌合検知ハウジングとが嵌合することで前記一方の嵌合検知端子と前記他方の嵌合検知端子とが接続されて前記制御回路が閉じる構成としてもよい。
このような構成によると、一対の嵌合検知コネクタを嵌合させることによって一対の嵌合検知端子を接続させて制御回路を開閉することができる。したがって、一対の嵌合検知端子を短絡させるショート端子が不要になる。
【発明の効果】
【００１０】
本明細書によって開示される技術によれば、主回路端子を安全に取り出すことができ、主回路端子を取り出す動作を省スペースで行うことができる。
【図面の簡単な説明】
【００１１】
【図１】実施形態１の回路遮断装置の構成部品を示した分解斜視図
【図２】図１の状態から主回路端子を主ハウジングに取り付けた状態を示した分解斜視図
【図３】図２に対応する背面図
【図４】図３のＡ−Ａ線断面図
【図５】図２の状態から主ハウジングをフード部の内部に嵌合させた状態を示した分解斜視図
【図６】図５に対応する平面図
【図７】図５に対応する背面図
【図８】図７のＢ−Ｂ線断面図
【図９】図５の状態から一対の嵌合検知コネクタを嵌合させた状態を示した分解斜視図
【図１０】図９に対応する平面図
【図１１】図９に対応する背面図
【図１２】図１１のＣ−Ｃ線断面図
【図１３】実施形態２の回路遮断装置の構成部品を示した分解斜視図
【図１４】図１３の状態から主回路端子を主ハウジングに取り付けた状態を示した分解斜視図
【図１５】図１４に対応する背面図
【図１６】図１５のＤ−Ｄ線断面図
【図１７】図１４の状態から主ハウジングをフード部の内部に嵌合させた状態を示した分解斜視図
【図１８】図１７に対応する平面図
【図１９】図１７に対応する背面図
【図２０】図１９のＥ−Ｅ線断面図
【図２１】図１７の状態から一対の嵌合検知コネクタを嵌合させた状態を示した分解斜視図
【図２２】図２１に対応する平面図
【図２３】図２１に対応する背面図
【図２４】図２３のＦ−Ｆ線断面図
【発明を実施するための形態】
【００１２】
＜実施形態１＞
実施形態１を図１から図１２の図面を参照しながら説明する。本実施形態の回路遮断装置１０は、車両に搭載されたバッテリからインバータやモータなどの機器に電力を供給する電源回路を遮断する装置である。例えば、車両のメンテナンス作業を開始する前に、回路遮断装置１０の次述するサービスプラグ５０を取り外して電源回路を遮断しておくことで作業の安全性を確保することができる。
【００１３】
回路遮断装置１０は、図１に示すように、ロアケース２０と、ロアケース２０に配設された一対の導電部材３０と、フード部４１を有するアッパケース４０と、フード部４１の内部に嵌合するサービスプラグ５０と、アッパケース４０に設けられた雄コネクタ６０と、雄コネクタ６０に嵌合する雌コネクタ７０とを備えて構成されている。
【００１４】
ロアケース２０は合成樹脂製であって、導電部材３０を装着するための装着部２１を備えている。一方、導電部材３０は導電性金属からなるバスバーを所定の形状に加工したものであって、装着部２１に装着される基板部３１と、基板部３１の端部から上方に立ち上がる端子部３２とを備えている。一対の導電部材３０の端子部３２は、直列に並べて配置されている。なお、一対の基板部３１は、一対の端子部３２を通る平面に関してそれぞれ反対方向を向いて配されている。
【００１５】
ロアケース２０にアッパケース４０を組み付けると、図２および図４に示すように、一対の端子部３２がフード部４１の内部に収容される。端子部３２は、フード部４１の奥壁４２から上方に突出した姿勢で配される。
【００１６】
サービスプラグ５０は、図１に示すように、主ハウジング５１と、主回路端子５２とを備えて構成されている。主ハウジング５１は合成樹脂製であって、横長略方形のブロック状をなしている。主ハウジング５１には複数のロック爪５３が設けられている。ロック爪５３は片持ち状をなして下方に突出する形態とされている。
【００１７】
主回路端子５２は導電性金属平板を所定の形状に加工したものであって、角筒状をなす箱部５４と、箱部５４の内部に配設された複数の弾性接触片５５とを備えて構成されている。箱部５４は、上下方向に開口する長方形状に開口を有し、長辺側に位置する両側壁には、複数のロック爪５３がそれぞれ嵌まり込む複数のロック孔５６が開口している。主ハウジング５１を主回路端子５２の箱部５４の内部に上方から装着すると、各ロック爪５３が各ロック孔５６に対して内側から嵌まり込んで係止することにより、主ハウジング５１と主回路端子５２が一体に固定され、サービスプラグ５０が構成される。
【００１８】
図１に示すように、フード部４１の開口縁部における長辺側には、一対の切り欠き４３が設けられている。図９に示すように、切り欠き４３には、主ハウジング５１の外面に設けられた一対の離脱操作部５７が嵌まり込むようになっている。サービスプラグ５０をフード部４１の内部から離脱させる際には、一対の離脱操作部５７に指を宛がって挟んだ状態とし、そのまま上方へ持ち上げることでサービスプラグ５０を取り外すことができる。
【００１９】
主回路端子５２の弾性接触片５５は片持ち状をなし、図４に示すように、箱部５４の開口縁から内側に折り返すことで形成されている。また、弾性接触片５５は、１つの端子部３２に対して一対設けられており、一対の弾性接触片５５で端子部３２を挟持することによって導通可能に接続される。したがって、サービスプラグ５０をフード部４１の内部に嵌合させると、図４における図示左側の端子部３２と図示右側の端子部３２とを主回路端子５２によって短絡させることができる。
【００２０】
雄コネクタ６０は、図５から図７に示すように、アッパケース４０の上面から上方に立ち上げられた雄ハウジング６１と、雄ハウジング６１の上端部に設けられたコネクタ嵌合部６２と、コネクタ嵌合部６２の内部に収容されたショート端子６３とを備えて構成されている。雌ハウジング６１とコネクタ嵌合部６２は、いずれも合成樹脂製であり、樹脂成形によってアッパケース４０と一体に形成したものである。また、ショート端子６３は導電性金属からなるバスバーをＵ字状に形成したものである。
【００２１】
本実施形態では雄ハウジング６１は、アッパケース４０とフード部４１の双方に連結されている。また、コネクタ嵌合部６２の内壁下面と、フード部４１の上面とは面一をなして連続し、アッパケース４０の上面からの高さが揃っている。また、図５に示すように、コネクタ嵌合部６２の内壁側面には、コネクタ固定部６４が設けられている。
【００２２】
雌コネクタ７０は、図５から図７に示すように、合成樹脂製の雌ハウジング７１と、雌ハウジング７１の内部に収容された一対の雌端子７２と、各雌端子７２が接続された一対の電線７３とを備えて構成されている。雌コネクタ７０は、雄コネクタ６０のコネクタ嵌合部６２の内部に嵌合可能とされている。雄コネクタ６０と雌コネクタ７０が嵌合する方向は、主ハウジング５１がフード部４１の内部に嵌合する方向と一対の端子部３２の並び方向との双方に対して直交する方向とされている。
【００２３】
一対の雌端子７２と一対の電線７３は、制御回路の一部とされている。雌ハウジング７１の側面には、片持ち状をなして延びるロックアーム７４が設けられている。ロックアーム７４の先端部には、ロック解除部７５が設けられている。ロックアーム７４の外側面には、ロック突部７６が設けられている。ロック突部７６は、ロックアーム７４の延出方向における中央付近に配されている。
【００２４】
雌コネクタ７０を雄コネクタ６０のコネクタ嵌合部６２の内部に嵌合させると、ロックアーム７４のロック突部７６がコネクタ固定部６４に係止することで雌コネクタ７０と雄コネクタ６０とが嵌合状態に保持される。これと同時に、一対の雌端子７２がショート端子６３にそれぞれ接続され、ショート端子６３で短絡されて制御回路が閉じるようになっている。制御回路が閉じると、電源回路のリレーに電気信号が送られ、リレーのスイッチが切り替わることによって電源回路がＯＦＦ状態からＯＮ状態に切り替わる。
【００２５】
また、ロック解除部７５を押圧操作してロックアーム７４のロック突部７６とコネクタ固定部６４との係止状態を解除すると、雌コネクタ７０を雄コネクタ６０から離脱させることができる。これと同時に、一対の雌端子７２がショート端子６３から離脱し、制御回路が開くようになっている。制御回路が開くと、電源回路のリレーに電気信号が送られず、リレーのスイッチが元の位置に戻ることによって電源回路がＯＮ状態からＯＦＦ状態に切り替わる。なお、リレーのスイッチが切り替わるには所定の時間を要するため、雌コネクタ７０を雄コネクタ６０から離脱させた後、サービスプラグ５０の取り外しを開始するまでの間に、遅延時間を設ける必要がある。
【００２６】
さて、本実施形態では電源回路がＯＮ状態のままサービスプラグ５０の取り外しが行われないように工夫が施されている。電源回路がＯＮ状態にあるということは、雌コネクタ７０が雄コネクタ６０のコネクタ嵌合部６２の内部に嵌合していることを意味するから、雌コネクタ７０によってサービスプラグ５０が外れないようにすればよい。具体的には、図１２に示すように、雌コネクタ７０の雌ハウジング７１の左端部７７が主ハウジング５１の右端部５８の真上に位置するようになっている。雌ハウジング７１の左端部７７は主ハウジング５１の右端部５８にほぼ当接しているため、サービスプラグ５０が上方に引っ張られてもフード部４１の内部から離脱することはないものとされている。
【００２７】
本実施形態は以上のような構成であって、続いてその作用を簡単に説明する。まず、図５に示すように、サービスプラグ５０をフード部４１の内部に嵌合させる。これにより、一対の導電部材３０が主回路端子５２によって短絡され、電源回路が閉じた状態になるものの、この時点では制御回路が開いた状態であるため、電源回路はＯＦＦ状態のままである。次に、図９に示すように、雌コネクタ７０を雄コネクタ６０のコネクタ嵌合部６２の内部に嵌合させると、一対の雌端子７２がショート端子６３によって短絡され、制御回路が閉じた状態になる。これによって、リレーのスイッチが切り替わり、電源回路がＯＦＦ状態からＯＮ状態に切り替わる。
【００２８】
次に、サービスプラグ５０を取り外す際には、リレーのスイッチが切り替わるのに要する時間を考慮した遅延時間が必要とされる。そこで、本実施形態では雌コネクタ７０のロック解除部７５を指で押圧して雄コネクタ６０のコネクタ嵌合部６２の内部から雌コネクタ７０を離脱させた後、ロック解除部７５から指を離して主ハウジング５１の離脱操作部５７に指を宛てがう操作、すなわち持ち替え操作によって上記した遅延時間を稼いでいる。仮に、雌コネクタ７０の離脱を行う前に、サービスプラグ５０を取り外す不正な操作をした場合には、主ハウジング５１の右端部５８が雌ハウジング７１の左端部７７に干渉することでサービスプラグ５０の取り外しが阻止されることになる。したがって、雌コネクタ７０を離脱させなければサービスプラグ５０を取り外すことができないようになっている。
【００２９】
サービスプラグ５０を取り外すには、まず、雌コネクタ７０をコネクタ嵌合部６２の内部から離脱させ、ショート端子６３と一対の雌端子７２とが非接続状態となることで制御回路を開いた状態とする。これにより、リレーのスイッチが切り替わって電源回路がＯＮ状態からＯＦＦ状態に切り替わる。そして、雌コネクタ７０から主ハウジング５１に持ち替えて、主ハウジング５１をフード部４１の内部から離脱させることで電源回路が開いた状態となる。
【００３０】
以上のように本実施形態では、嵌合状態にある一対の嵌合検知コネクタ（雄コネクタ６０、雌コネクタ７０）の少なくともいずれか一方（雌コネクタ７０）が主ハウジング５１に干渉することで主ハウジング５１がフード部４１の内部から離脱できないようにすることができる。すなわち、一対の嵌合検知コネクタを離脱させなければ、主ハウジング５１をフード部４１の内部から離脱させることができないことになる。したがって、主回路端子５２を安全に取り出すことができる。また、従来の電源回路遮断装置で必要とされたレバー操作用のスペースが不要になるため、主回路端子５２を取り出す動作を省スペースで行うことができる。
【００３１】
一対の端子部３２は平板状をなし、直列に並べて配置されており、一対の嵌合検知コネクタ（雄コネクタ６０、雌コネクタ７０）が嵌合する方向は、主ハウジング５１がフード部４１の内部に嵌合する方向と一対の端子部３２の並び方向との双方に対して交差する方向とされている構成としてもよい。
このような構成によると、主ハウジング５１をフード部４１の内部から離脱させようとした際に一方の嵌合検知コネクタ（雌コネクタ７０）が主ハウジング５１から力を受けて他方の嵌合検知コネクタ（雄コネクタ６０）から離脱することを確実に防止できる。
【００３２】
一方の嵌合検知コネクタ（雌コネクタ７０）は、一対の電線７３と、一対の電線７３にそれぞれ接続された一対の嵌合検知端子（雌端子７２）と、一対の嵌合検知端子を保持する一方の嵌合検知ハウジング（雌ハウジング７１）とを備えて構成され、他方の嵌合検知コネクタ（雄コネクタ６０）は、ショート端子６３と、ショート端子６３を保持する他方の嵌合検知ハウジング（雄ハウジング６１）とを備えて構成され、一方の嵌合検知ハウジングと他方の嵌合検知ハウジングとが嵌合することで一対の嵌合検知端子がショート端子６３で短絡されて制御回路が閉じる構成としてもよい。
このような構成によると、例えば他方の嵌合検知コネクタを予めフード部４１と一体に構成しておくことにより、一方の嵌合検知コネクタの嵌合離脱操作によって制御回路を開閉することができる。
【００３３】
＜実施形態２＞
次に、実施形態２を図１３から図２４の図面を参照しながら説明する。本実施形態の回路遮断装置１１０は、車両に搭載されたバッテリからインバータやモータなどの機器に電力を供給する電源回路を遮断する装置である。例えば、車両のメンテナンス作業を開始する前に、回路遮断装置１１０の次述するサービスプラグ１５０を取り外して電源回路を遮断しておくことで作業の安全性を確保することができる。
【００３４】
回路遮断装置１１０は、図１３に示すように、ロアケース１２０と、ロアケース１２０に配設された一対の導電部材１３０と、フード部１４１を有するアッパケース１４０と、フード部１４１の内部に嵌合するサービスプラグ１５０と、アッパケース１４０に設けられた雄コネクタ１６０と、雄コネクタ１６０に嵌合する雌コネクタ１７０とを備えて構成されている。
【００３５】
ロアケース１２０は合成樹脂製であって、導電部材１３０を装着するための装着部１２１を備えている。一方、導電部材１３０は導電性金属からなるバスバーを所定の形状に加工したものであって、装着部１２１に装着される基板部１３１と、基板部１３１の端部から上方に立ち上がる端子部１３２とを備えている。一対の導電部材１３０の端子部１３２は、直列に並べて配置されている。なお、一対の基板部１３１は、一対の端子部１３２を通る平面に関してそれぞれ反対方向を向いて配されている。
【００３６】
ロアケース１２０にアッパケース１４０を組み付けると、図１４および図１６に示すように、一対の端子部１３２がフード部１４１の内部に収容される。端子部１３２は、フード部１４１の奥壁１４２から上方に突出した姿勢で配される。
【００３７】
サービスプラグ１５０は、図１３に示すように、主ハウジング１５１と、主回路端子１５２とを備えて構成されている。主ハウジング１５１は合成樹脂製であって、横長略方形のブロック状をなしている。主ハウジング１５１には複数のロック爪１５３が設けられている。ロック爪１５３は片持ち状をなして下方に突出する形態とされている。
【００３８】
主回路端子１５２は導電性金属平板を所定の形状に加工したものであって、角筒状をなす箱部１５４と、箱部１５４の内部に配設された複数の弾性接触片１５５とを備えて構成されている。箱部１５４は、上下方向に開口する長方形状に開口を有し、長辺側に位置する両側壁には、複数のロック爪１５３がそれぞれ嵌まり込む複数のロック孔１５６が開口している。主ハウジング１５１を主回路端子１５２の箱部１５４の内部に上方から装着すると、各ロック爪１５３が各ロック孔１５６に対して内側から嵌まり込んで係止することにより、主ハウジング１５１と主回路端子１５２が一体に固定され、サービスプラグ１５０が構成される。
【００３９】
図１３に示すように、フード部１４１の開口縁部における長辺側には、一対の切り欠き１４３が設けられている。図２１に示すように、切り欠き１４３には、主ハウジング１５１の外面に設けられた一対の離脱操作部１５７が嵌まり込むようになっている。サービスプラグ１５０をフード部１４１の内部から離脱させる際には、一対の離脱操作部１５７に指を宛がって挟んだ状態とし、そのまま上方へ持ち上げることでサービスプラグ１５０を取り外すことができる。
【００４０】
主回路端子１５２の弾性接触片１５５は片持ち状をなし、図１６に示すように、箱部１５４の開口縁から内側に折り返すことで形成されている。また、弾性接触片１５５は、１つの端子部１３２に対して一対設けられており、一対の弾性接触片１５５で端子部１３２を挟持することによって導通可能に接続される。したがって、サービスプラグ１５０をフード部１４１の内部に嵌合させると、図１６における図示左側の端子部１３２と図示右側の端子部１３２とを主回路端子１５２によって短絡させることができる。
【００４１】
雄コネクタ１６０は、図１４から図１６に示すように、雄ハウジング１６１と、雄ハウジング１６１の嵌合方向前側に設けられたコネクタ嵌合部１６２と、コネクタ嵌合部１６２の内部に収容された雄端子１６３と、雄端子１６３が接続された電線１６５とを備えて構成されている。雌ハウジング１６１とコネクタ嵌合部１６２は、いずれも合成樹脂製であり、フード部１４１と一体に形成したものでもよいし、フード部１４１に後付けすることで固定される構成としてもよい。また、雄端子１６３は、図１８に示すように、導電性金属からなるタブ状端子とされている。雄端子１６３は、電線１６５の端末に圧着接続され、電線１６５との圧着部が雄ハウジング１６１によって保持されている。
【００４２】
本実施形態の雄ハウジング１６１はフード部１４１とは別体に構成され、具体的な取付構成は図示しないものの、フード部１４１に対して後から取り付けられて固定されるようになっている。また、図１７に示すように、コネクタ嵌合部１６２の内壁側面には、コネクタ固定部１６４が設けられている。
【００４３】
雌コネクタ１７０は、図１７から図１９に示すように、合成樹脂製の雌ハウジング１７１と、雌ハウジング１７１の内部に収容された雌端子１７２と、雌端子１７２が接続された電線１７３とを備えて構成されている。雌コネクタ１７０は、雄コネクタ１６０のコネクタ嵌合部１６２の内部に嵌合可能とされている。雄コネクタ１６０と雌コネクタ１７０が嵌合する方向は、主ハウジング１５１がフード部１４１の内部に嵌合する方向と一対の端子部１３２の並び方向との双方に対して直交する方向とされている。
【００４４】
雄端子１６３が接続された電線１６５と雌端子１７２が接続された電線１７３とは、制御回路の一部とされている。雌ハウジング１７１の側面には、片持ち状をなして延びるロックアーム１７４が設けられている。ロックアーム１７４の先端部には、ロック解除部１７５が設けられている。ロックアーム１７４の外側面には、ロック突部１７６が設けられている。ロック突部１７６は、ロックアーム１７４の延出方向における中央付近に配されている。
【００４５】
雌コネクタ１７０を雄コネクタ１６０のコネクタ嵌合部１６２の内部に嵌合させると、ロックアーム１７４のロック突部１７６がコネクタ固定部１６４に係止することで雌コネクタ１７０と雄コネクタ１６０とが嵌合状態に保持される。これと同時に、雌端子１７２が雄端子１６３に接続されて制御回路が閉じるようになっている。制御回路が閉じると、電源回路のリレーに電気信号が送られ、リレーのスイッチが切り替わることによって電源回路がＯＦＦ状態からＯＮ状態に切り替わる。
【００４６】
また、ロック解除部１７５を押圧操作してロックアーム１７４のロック突部１７６とコネクタ固定部１６４との係止状態を解除すると、雌コネクタ１７０を雄コネクタ１６０から離脱させることができる。これと同時に、雌端子１７２が雄端子１６３から離脱し、制御回路が開くようになっている。制御回路が開くと、電源回路のリレーに電気信号が送られず、リレーのスイッチが元の位置に戻ることによって電源回路がＯＮ状態からＯＦＦ状態に切り替わる。なお、リレーのスイッチが切り替わるには所定の時間を要するため、雌コネクタ１７０を雄コネクタ１６０から離脱させた後、サービスプラグ１５０の取り外しを開始するまでの間に、遅延時間を設ける必要がある。
【００４７】
さて、本実施形態では電源回路がＯＮ状態のままサービスプラグ１５０の取り外しが行われないように工夫が施されている。電源回路がＯＮ状態にあるということは、雌コネクタ１７０が雄コネクタ１６０のコネクタ嵌合部１６２の内部に嵌合していることを意味するから、雌コネクタ１７０によってサービスプラグ１５０が外れないようにすればよい。具体的には、図２４に示すように、雌コネクタ１７０の雌ハウジング１７１の左端部１７７が主ハウジング１５１の右端部１５８の真上に位置するようになっている。雌ハウジング１７１の左端部１７７は主ハウジング１５１の右端部１５８にほぼ当接しているため、サービスプラグ１５０が上方に引っ張られてもフード部１４１の内部から離脱することはないものとされている。
【００４８】
本実施形態は以上のような構成であって、続いてその作用を簡単に説明する。まず、図１７に示すように、サービスプラグ１５０をフード部１４１の内部に嵌合させる。これにより、一対の導電部材１３０が主回路端子１５２によって短絡され、電源回路が閉じた状態になるものの、この時点では制御回路が開いた状態であるため、電源回路はＯＦＦ状態のままである。次に、図２１に示すように、雌コネクタ１７０を雄コネクタ１６０のコネクタ嵌合部１６２の内部に嵌合させると、雌端子１７２が雄端子１６３に接続され、制御回路が閉じた状態になる。これによって、リレーのスイッチが切り替わり、電源回路がＯＦＦ状態からＯＮ状態に切り替わる。
【００４９】
次に、サービスプラグ１５０を取り外す際には、リレーのスイッチが切り替わるのに要する時間を考慮した遅延時間が必要とされる。そこで、本実施形態では雌コネクタ１７０のロック解除部１７５を指で押圧して雄コネクタ１６０のコネクタ嵌合部１６２の内部から雌コネクタ１７０を離脱させた後、ロック解除部１７５から指を離して主ハウジング１５１の離脱操作部１５７に指を宛てがう操作、すなわち持ち替え操作によって上記した遅延時間を稼いでいる。仮に、雌コネクタ１７０の離脱を行う前に、サービスプラグ１５０を取り外す不正な操作をした場合には、主ハウジング１５１の右端部１５８が雌ハウジング１７１の左端部１７７に干渉することでサービスプラグ１５０の取り外しが阻止されることになる。したがって、雌コネクタ１７０を離脱させなければサービスプラグ１５０を取り外すことができないようになっている。
【００５０】
サービスプラグ１５０を取り外すには、まず、雌コネクタ１７０をコネクタ嵌合部１６２の内部から離脱させ、雄端子１６３と雌端子１７２が非接続状態となることで制御回路を開いた状態とする。これにより、リレーのスイッチが切り替わって電源回路がＯＮ状態からＯＦＦ状態に切り替わる。そして、雌コネクタ１７０から主ハウジング１５１に持ち替えて、主ハウジング１５１をフード部１４１の内部から離脱させることで電源回路が開いた状態となる。
【００５１】
以上のように本実施形態では、一方の嵌合検知コネクタ（雌コネクタ１７０）は、一方の電線１７３と、一方の電線１７３に接続された一方の嵌合検知端子（雌端子１７２）と、一方の嵌合検知端子を保持する一方の嵌合検知ハウジング（雌ハウジング１７１）とを備えて構成され、他方の嵌合検知コネクタ（雄コネクタ１６０）は、他方の電線１６５と、他方の電線１６５に接続された他方の嵌合検知端子（雄端子１６３）と、他方の嵌合検知端子を保持する他方の嵌合検知ハウジング（雄ハウジング１６１）とを備えて構成され、一方の嵌合検知ハウジングと他方の嵌合検知ハウジングとが嵌合することで一方の嵌合検知端子と他方の嵌合検知端子とが接続されて制御回路が閉じる構成とした。
このような構成によると、一対の嵌合検知コネクタを嵌合させることによって一対の嵌合検知端子を接続させて制御回路を開閉することができる。したがって、一対の嵌合検知端子を短絡させるショート端子（実施形態１でいうショート端子６３など）が不要になる。
【００５２】
＜他の実施形態＞
本明細書によって開示される技術は上記記述及び図面によって説明した実施形態に限定されるものではなく、例えば次のような種々の態様も含まれる。
（１）上記実施形態では雌ハウジング７１、１７１がフード部４１、１４１の外部でコネクタ嵌合部６２、１６２に嵌合するようになっているものの、雌ハウジング７１、１７１がフード部４１、１４１および主ハウジング５１、１５１を貫通する態様でコネクタ嵌合部６４、１６４に嵌合するようにしてもよい。
【００５３】
（２）上記実施形態では主回路として電源回路を例示しているものの、様々な回路に適用できる。
【００５４】
（３）上記実施形態では導電部材としてバスバーからなる端子部３２、１３２を例示しているものの、これ以外にもタブ状端子、箱形の嵌合端子などを用いてもよく、端子部の形状や種類は問わない。
【００５５】
（４）上記実施形態２では雌コネクタ１７０によってサービスプラグ１５０の抜け止めをしているものの、雄コネクタ１６０によってサービスプラグ１５０の抜け止めを行ってもよいし、両コネクタ１６０、１７０によってサービスプラグ１５０の抜け止めを行ってもよい。
【符号の説明】
【００５６】
１０、１１０…回路遮断装置
３０、１３０…導電部材
３２、１３２…端子部
４１、１４１…フード部
５１、１５１…主ハウジング
５２、１５２…主回路端子
６０…雄コネクタ（嵌合検知コネクタ）
６１…雄ハウジング（嵌合検知ハウジング）
６３…ショート端子
７０…雌コネクタ（嵌合検知コネクタ）
７１…雌ハウジング（嵌合検知ハウジング）
７２…雌端子（嵌合検知端子）
７３…電線
１６０…雄コネクタ（他方の嵌合検知コネクタ）
１６１…雄ハウジング（他方の嵌合検知ハウジング）
１６３…雄端子（他方の嵌合検知端子）
１６５…電線（他方の電線）
１７０…雌コネクタ（一方の嵌合検知コネクタ）
１７１…雌ハウジング（一方の嵌合検知ハウジング）
１７２…雌端子（一方の嵌合検知端子）
１７３…電線（一方の電線）
【図１】
2017016922.tif 000003
【図２】
2017016922.tif 000004
【図３】
2017016922.tif 000005
【図４】
2017016922.tif 000006
【図５】
2017016922.tif 000007
【図６】
2017016922.tif 000008
【図７】
2017016922.tif 000009
【図８】
2017016922.tif 000010
【図９】
2017016922.tif 000011
【図１０】
2017016922.tif 000012
【図１１】
2017016922.tif 000013
【図１２】
2017016922.tif 000014
【図１３】
2017016922.tif 000015
【図１４】
2017016922.tif 000016
【図１５】
2017016922.tif 000017
【図１６】
2017016922.tif 000018
【図１７】
2017016922.tif 000019
【図１８】
2017016922.tif 000020
【図１９】
2017016922.tif 000021
【図２０】
2017016922.tif 000022
【図２１】
2017016922.tif 000023
【図２２】
2017016922.tif 000024
【図２３】
2017016922.tif 000025
【図２４】
2017016922.tif 000026